(57)【要約】【課題】ヘリオスタットの数が多くても短時間でミラーの洗浄を行うことができるヘリオスタット構造を提供する。【解決手段】ヘリオスタット２のミラー５の表面を向ける側に位置するセンサーポール１０に噴水装置１１を設けたため、ヘリオスタット２が多数あっても、そのミラー５に対して一度に水を噴霧して洗浄することができる。そのためミラー５の洗浄時間の短縮を図ることができる。【選択図】図４
2014066483.tif 000002
【特許請求の範囲】
【請求項１】
太陽の日周運動に関連する方位方向と季節運動に関連する高度方向に回転自在なミラーを有するヘリオスタットと、
ミラーとターゲットを結ぶ仮想直線上に配置され、ミラーで反射された太陽光を受光すると共にその受光状態を維持するようにミラーの回転をフィードバック制御するセンサーと、
ヘリオスタットの土台に位置固定され、前記センサーを所定位置に固定するセンサーポールを備えたヘリオスタット構造において、
前記センサーポールにヘリオスタットのミラーに対する噴水手段を設けたことを特徴とする噴水機能付きヘリオスタット構造。
【請求項２】
噴水手段がセンサーよりも低い位置にあることを特徴とする請求項１記載の噴水機能付きヘリオスタット構造。
【発明の詳細な説明】
【技術分野】
【０００１】
本発明は、太陽を追尾しながら太陽光を反射して一点に集光させることができるヘリオスタットのミラーを短時間で洗浄することができる噴水機能付きヘリオスタット構造に関する。
【背景技術】
【０００２】
太陽光の有効利用のために、太陽を追尾した状態で複数のヘリオスタットのミラーを同時に制御して、ミラーで反射した太陽光をターゲットに集光させるヘリオスタット構造が知られている。
【０００３】
各ヘリオスタットのミラーとターゲットを結ぶ仮想直線上にはセンサーが設けられている。このセンサーの内部には受光素子が設けられている。受光素子が太陽光を受光すると、センサーはその受光状態を維持するようにヘリオスタットのミラーをフィードバック制御する。そうすることで、ヘリオスタットは太陽を追尾した状態で常に太陽光をターゲットに向けて反射し続けることができる。センサーはセンサーポールにより地面又はヘリオスタットの土台に対して固定され、センサー自体の位置及び姿勢は不動である（例えば、特許文献１参照）。
【先行技術文献】
【特許文献】
【０００４】
【特許文献１】特許第３７８４０２１号公報
【発明の概要】
【発明が解決しようとする課題】
【０００５】
このようなヘリオスタット構造にあって、ヘリオスタットのミラーは反射率を維持するために定期的に脱塩水が噴霧され表面が洗浄される。この場合、タンクと噴水装置を専用の洗浄車両を複数のヘリオスタット間で移動させ、各ヘリオスタットごとに洗浄する。そのためヘリオスタットの数が多い場合は洗浄作業に時間が掛かる。
【０００６】
本発明はこのような従来の技術に着目してなされたものであり、ヘリオスタットの数が多くても短時間でミラーの洗浄を行うことができるヘリオスタット構造を提供する。
【課題を解決するための手段】
【０００７】
請求項１記載の発明は、太陽の日周運動に関連する方位方向と季節運動に関連する高度方向に回転自在なミラーを有するヘリオスタットと、ミラーとターゲットを結ぶ仮想直線上に配置され、ミラーで反射された太陽光を受光すると共にその受光状態を維持するようにミラーの回転をフィードバック制御するセンサーと、該地面又はヘリオスタットの土台に固定され、前記センサーを所定位置に固定するセンサーポールを備えたヘリオスタット構造において、前記センサーポールにヘリオスタットのミラーに対する噴水手段を設けたことを特徴とする。
【０００８】
請求項２記載の発明は、噴水手段がセンサーよりも低い位置にあることを特徴とする。
【発明の効果】
【０００９】
請求項１記載の発明によれば、ヘリオスタットのミラーの表面を向ける側に位置するセンサーポールに噴水手段を設けたため、ヘリオスタットが多数あっても、そのミラーに対して一度に水を噴霧して洗浄することができる。そのためミラーの洗浄時間の短縮を図ることができる。
【００１０】
請求項２記載の発明によれば、噴水手段がセンサーよりも低い位置にあるため、噴水手段から垂れた水がセンサーに掛からない。
【図面の簡単な説明】
【００１１】
【図１】ターゲットの周囲に多数のヘリオスタットを配置した状態を示す平面図。
【図２】ヘリオスタットにより太陽光をターゲットに向けて反射している状態を示す斜視図。
【図３】ヘリオスタットとセンサーを示す斜視図。
【図４】ヘリオスタットとセンサーを示す側面図。
【発明を実施するための形態】
【００１２】
本発明の好適な実施形態を図１〜図４に基づいて説明する。
【００１３】
タワー１の周囲には複数のヘリオスタット２が配置されている。タワー１の頂部にはターゲット３が設けられ、このターゲット３に向けてヘリオスタット２から太陽光Ｌが反射される。
【００１４】
ヘリオスタット２は、コ字状（Ｕ字状）のフレーム４で支持された四角形のミラー５を有している。このミラー５は、高度モータ６によりフレーム４に支持された水平軸を中心に高度方向Ｂで回転自在である。またミラー５はフレーム４ごと垂直軸を中心に方位モータ７により方位方向で回転自在である。方位モータ７は地面に対して不動の土台９に設けられている。したがって、ミラー５の回転中心とターゲット３は相互に位置固定されている。方位方向Ａは主として太陽Ｓの日周運動に関連した方向で、高度方向Ｂは主として太陽Ｓの季節運動に関連した方向である。
【００１５】
ミラー５とターゲット３を結ぶ直線上にはセンサー８がそれぞれ設置されている。センサー８はヘリオスタット２のターゲット３側の地面に立設されたセンサーポール１０の上端に固定されている。そのためセンサー８はヘリオスタット２の動きに関係せず、その位置及び姿勢は常に不動状態である。尚、センサーポール１０はヘリオスタット２の土台９に固定しても良い。センターポール１０、ミラーの回転中心およびターゲット３は地面を介して相互に位置固定されている。
【００１６】
センサー８の内部には光検出センサが内蔵され、ミラー５から反射された太陽光Ｌを一度受光したら、その受光した状態を維持するように高度モータ６及び方位モータ７をフィードバック制御している。このフィードバック制御により、ミラー５は太陽Ｓを追尾した状態で、常に太陽光Ｌをセンサー８側（ターゲット３側）へ向けて反射し続けることができる。
【００１７】
そしてセンサーポール１０におけるセンサー８の若干下方には噴水手段としての噴水装置１１が固定されている。この噴水装置１１は図示せぬタンクと配管１２により接続されており、図示せぬコントローラーにより任意に脱塩水をヘリオスタット２のミラー５に対して噴霧することができる。
【００１８】
噴水装置１１から脱塩水を噴霧する場合は、ミラー５を垂直に立てた状態にする。そうすることでミラー５の表面に噴霧された脱塩水が汚れと一緒に下方に流れやすく洗浄効果が向上する。ミラー５の表面に光触媒層を施しておけば更に汚れが落ちやすく洗浄効果が高い。
【００１９】
噴水装置１１から所定時間噴霧した後、噴霧を止めた後も若干の脱塩水が下方へ垂れるが、噴水装置１１がセンサー８よりも下方に位置するため、垂れた水がセンサー８に掛かることはない。
【００２０】
この実施形態によれば、ヘリオスタット２のミラー５の表面を向ける側に位置するセンサーポール１０に噴水装置１１を設けたため、ヘリオスタット２が多数あっても、そのミラー５に対して一度に水を噴霧して洗浄することができる。そのためミラー５の洗浄時間の短縮を図ることができる。
【００２１】
尚、以上の実施形態では、ターゲット３をタワー１の上部に設けた例を示したが、ビームダウン式集光装置のセンターミラーに関連した位置に設けても良い。
【００２２】
またミラー５を方位方向Ａ及び高度方向Ｂへ回転させる経緯台式のヘリオスタット２を例にしたが、赤経方向及び赤緯方向へ回転させる赤道儀式のヘリオスタットであっても良い。
【００２３】
一枚の大きなミラー５を回転させる例を示したが、複数のミラーで構成したマルチミラー構造を回転させるようにしても良い。
【符号の説明】
【００２４】
２  ヘリオスタット
３  ターゲット
５  ミラー
８  センサー
１０  センサーポール
１１  噴水装置（噴水手段）
１２  配管
Ａ  方位方向
Ｂ  高度方向
Ｌ  太陽光
Ｓ  太陽
【図１】
2014066483.tif 000003
【図２】
2014066483.tif 000004
【図３】
2014066483.tif 000005
【図４】
2014066483.tif 000006